(57)【要約】【課題】従来の髪止め具は、それぞれの髪挟み部材を一対とし、開閉自在であり、常時閉じた状態の髪挟み部保持のため、付勢部材、枢支部は不可欠であるため、つまみ部は、常時開いた状態で立体的であり、製造工程においての組み立ての手間や、立体構造が使用時にじゃまになる、又枢支部に髪が絡まり抜ける、頭髪を挟む目的において枢支部、つまみ部は頭髪を挟めないなど欠点とし課題になります。【解決手段】一連の部材により一連に形成される髪止め具であり、髪挟み部に対し左右に拡がり翼状に形成されるつまみ部は、常時閉じた状態の髪挟み部の一部となり頭髪を挟み、頭部に密着し平面的であり、左右よりつまむことで開閉自在とし、髪挟持部材の被布加工等により部材のずれを防止する髪止め具であり、枢支部を排除し製造工程の手間を削減し、又立体的構造の不都合や髪の絡まりを防ぐとした髪止め具【選択図】図１
2006130273.tif 000002
【特許請求の範囲】
【請求項１】
頭髪を挟んで止めるための止め具であり、長短一対の髪挟み部、一対のつまみ部が一連に形成され、つまみ部にて、二連に分岐された（３）（４）部材が長短一対の髪挟み部材（１）（２）の中心線に対し左右に拡がり翼状の一対のつまみ部（３）（４）となり、さらに髪挟み部材（２）方向に湾曲している髪止め具
【請求項２】
上記髪止め具は大小、棒状、扁平状、立体形を特徴とする請求項１の髪止め具
【請求項３】
上記髪止め具は脱着自在に保持される、つまみ部固定部材（８）を含む請求項１、２の髪止め具
【発明の詳細な説明】
【技術分野】
【０００１】この発明は髪止め具に関するものである
【背景技術】
【０００２】従来の髪止め具としては、一対の髪挟持部材を開閉自在に枢支する枢支部と、一対の髪挟持部材に跨がるように形成され、常時は一対の髪挟持部材を相互に閉じるように一対の髪挟持部材を付勢する付勢部材とを備え、髪挟持部材は、溝部と、溝部に脱着自在に保持され、弾性を有するすべり止め部材とを含み、すべり止め部材は、その一部が溝部から出するように押圧保持されるとした髪止め具である。
（特許文献１参照）【０００３】以下、図１４、図１５、図１６、図１７により従来の髪止め具について説明する。図では、挟んで止めるための一対の髪髪挟持部材１２ａ、１２ｂと一対の髪挟持部材１２ａ、１２ｂを開閉自在に枢支する枢支部１６ａ、１６ａおよび１６ｂ、１６ｂと、一対の髪挟持部材１２ａ、１２ｂ間に跨がるように形成され常時には、一対の髪挟持部材１２ａ、１２ｂを相互に閉じるように付勢する付勢部材１８とを含み、一方の髪挟持部材１２ａには、溝部３０が形成され、その溝部３０の中には、たとえばゴム状弾性体からなる紐状のすべり止め部材３０が脱着自在に装着される【０００４】
【特許文献１】特開平９−２０６１２１号公報
【発明の開示】
【発明が解決する課題】
【０００５】以上に述べた従来の髪止め具は、開閉自在とする枢支部、相互に閉じるための付勢部材が形成され一対の髪挟持部材となるものであり、一対の髪挟持部材はそれぞれが単一部材であるがゆえに枢支部、付勢部材は、必要不可欠であり、製造工程においては枢支部、付勢部材等の組み立てに手間がかかるなどの、解決される課題があります。
【０００６】上記髪止め具は、枢支部、付勢部材が形成された状態において、開閉自在とされており、常時閉じた状態の髪挟み部に対して、つまみ部は常時上下に開いた状態にあり、枢支部、つまみ部は極めて立体的になり、装着時には物にぶつかったり、引っ掛かるなど、また枢支部、付勢部材の隙間等に髪が絡まり抜けるなど困難であり解決される課題です。
【０００７】上記髪止め具は、それぞれの髪挟み部材を枢支部、付勢部材の形成組み立てにより、髪止め具とされており、頭髪を挟み止める目的である髪止め具としては、枢支部部分、つまみ部部分おいては、頭髪を挟めない部分であり、解決される課題です。
【０００８】上記髪止め具においては脱着自在に装着されるすべり止め部材としており、使用時における、ずれる、外れる、脱着の手間がかかるなどが課題となります。
【０００９】よって発明の目的は、このような従来の髪止め具が、それぞれの髪挟み部材を一対とするため又開閉自在のため、常時閉じた状態の髪挟み部のために枢支部、付勢部材は必要不可欠とした構造による問題を解消するものであり、枢支部、付勢部材を形成せずに開閉自在とし、髪挟み部、つまみ部においても常時閉じた状態であり、極めて平面的構造であり、常時はつまみ部も髪挟み部の一部となり頭髪を挟めるものであり、前記髪挟持部材は、シリコーンゴムなどの粘弾性を有するゴム状弾性で被布加工され頭髪との摩擦により、部材のずれを防止する髪止め具の提供するものです。
【課題を解決する為の手段】
【００１０】この発明は上記の目的を達成するための、頭髪を挟んで止めるための髪挟持部材であって、弾性を有す棒線状材により、部材が輪状に結合され、輪状にて一文字形とし、一文字状とした部材で一連に形成されるものであり、髪挟持部材の中央部にて折り返し、両先端部分が上下水平に重なり合い、両先端部より折り返し部方向へ、相互に閉じ挟むための一対とする髪挟み短部材、髪挟み長部材が上下にて形成され、前記部材より分岐され、折り返し部分にて二連の輪状となる部材がそれぞれに、長短一対の髪挟み部材の中心線に対して、相対する左右に拡がり、一対の翼状の摘み部となりさらに髪挟み長部材方向へ反り返り湾曲した髪挟持部材であり、前記髪挟持部材が、たとえばゴム状弾性材等により被布加工された髪止め具
【００１１】頭髪を挟んで止めるための髪止め具であり、上記、髪挟持部材を軸芯としゴム状弾性材、合成樹脂、シリコーンゴム等の被布加工により頭髪と部材の摩擦により部材が、所望の位置に系止されるものであり、又被布成形加工等が容易であることにより摘み部、髪挟み部それぞれの部分おいては扁平状、立体状、棒状、大小であることを特徴とし、たとえばつまみ部はつまみ易く扁平状であり、髪挟み部は頭髪をすくい易く棒状とするなどとした髪止め具です
【００１２】上記、髪止め具は、頭髪を挟んで止めるための開閉自在とする髪止め具であり、開閉自在とするために、髪挟み部に対して左右方向よりつまむものであり、とくに左右方向に拡がる翼状とした摘み部の形成にあたり、髪挟み短部材より摘み部に関わる左右方向に拡がる分岐部の外角度方向、髪挟み長部材より摘み部に関わる左右方向に拡がる分岐部の内角度方向の形成等が、一定に保持され、摘み部全体が湾曲していることにより、摘み部を左右からつまむ事が出来つまんだ場合に、短部材より摘み部に移行する分岐点部分と重なり合う長部材の部分を支点として、それぞれの角度形成が一定保持状態のまま一対の髪挟持部材が回転移動することにより、一対の髪挟み部が相互に相反する方向に移動した状態で開くとするもので常時閉じている状態の髪挟み部の上下開閉に対し、つまみ部を左右方向よりつまんだ場合に開閉自在とした髪止め具。
【００１３】上記髪止め具は、頭髪を挟んで止めるために開閉自在であり、極めて平面的構造であるとした髪止め具であって、上記髪止め具の形成によって、髪挟み部の常時閉じた状態における、つまみ部は常時閉じた状態であり、開閉時の支点とする部分より、つまみ部と髪挟み長部材が交差状態であり、髪挟み長部材の一部と一対のつまみ部は平行線上に並び、極めて平面的構造であり頭部に密着し、開閉自在とした髪止め具
【００１４】上記髪止め具は、頭髪を挟んで止めるために開閉自在であり、平面的であり、つまみ部においても、頭髪を挟めるとした髪止め具であって、上記髪止め具の形成により、一連部材による一連の形成により髪挟持部材のつまみ部においては、髪挟み長部材の一部は一対のつまみ部と平行線上にあり、それぞれの端部は輪状であり、髪挟み部の常時閉じた状態では、連動し常時閉じた状態のつまみ部であり、つまみ部においても頭髪が挟めるとし、開閉自在であり、平面的とした髪止め具。
【００１５】上記髪止め具は、つまみ部において開閉自在としてつまむ場合と逆方向に重ね合わせ固定することにより、髪挟み部材よりつまみ部材に移行する分岐部の外角度、内角度の、長短髪挟み部材に及ぼす髪挟み時の押圧効果を利用できるとし、脱着自在の固定部材含むものであり、固定部材とし、無伸縮材質に関しては長短部材それぞれの外輪相等の内輪を有す輪状部材とし、伸縮性材料に関しては脱着可能であり摘み部を固定出来る輪状のものとし、前記固定部材は、髪止め具の先端部の一方より装着され、開閉自在時には髪挟み部材の分岐部にて停止し、摘み部の固定時に移動させるものであり、固定部材は髪止め具の一端部より一端まで移動可能であり脱着の使用は自在であり、前記固定部材は、頭髪を挟み止め部材を所望の位置に系止されるものであり、固定部材の装着により、つまみ部は髪挟み部材に対して垂直方向に相互固定されものであり、髪止め具の形状は変化されるものであり、又固定部材は飾部材として大小、扁平状、立体状を有す髪止め具
【００１６】上記解決手段による作用として一連の部材による一連に形成される髪挟持部材は、枢支部、付勢部材は必要なく翼状のつまみ部は左右よりつまむことで開閉自在であり、常時閉じた状態の髪挟み部であり、つまみ部は常時は髪挟み部の一部となり頭髪を挟むものであり、髪挟み長部材の一部とつまみ部は平行上に位置し全体が湾曲しているため頭部に密着するものであり、前記髪挟持部材はゴム状弾性材により被布され、摩擦により部材の系止が保持されるものとした髪止め具であり、前記髪止め具は固定部材の装着により、つまみ部は髪挟み部材に対し垂直方向に相互固定され、髪挟み時の押圧効果が保持され、髪止め具の形状が変化するとした髪止め具
【発明の効果】
【００１７】上記によって、この発明では一連の部材により髪挟み部、つまみ部が一連に形成され、開閉自在とした一対の髪挟持部材であり、製造工程において手間のかかるとした、一対の髪挟持部材を跨がるように形成さる枢支部、付勢部材については排除されるため製造工程において組み立て等の手間が必要なく課題を解消するものです
【００１８】前記課題の解消により、この発明では常時閉じている状態の髪挟み部、常時閉じている状態のつまみ部とし、上下開閉の髪挟み部に対してつまみ部は左右方向からつまむものであり、極めて立体的なつまみ部により使用時に困難とした課題については、枢支部、付勢部材を排除することにより、極めて平面的なつまみ部として物にぶつかる、引っ掛かる又髪が絡まるなどの困難を解消するものです。
【００１９】前記課題が解消したことにより、つまみ部、枢支部部分には頭髪を挟めないとした課題については、髪挟持部材が一連に形成されることにより、一対のつまみ部の端部はそれぞれ輪状であり極めて平面的であるため常時閉じた状態では、髪挟み部の一部であり全体が湾曲し頭部に密着する形成であり、つまみ部においても頭髪を挟めるとして課題を解消するものです。
【００２０】上記髪止め具は髪挟持部材を軸芯とし、合成樹脂、シリコーンゴム等により被布加工されて髪止め具であり、被布加工により摩擦効果で頭髪、部材のずれを防止するもので、脱着自在とした紐状のすべり止め部材の装着の手間や部材のずれ、すべり止め部材、溝部の製造工程の手間など解消するものであります。
【００２１】従来の髪止め具と異なる部分については、一対のつまみ部を髪挟み部の開閉時につまむ場合と逆方向、短部材側につまみ、一対のつまみ部を重ね合わせ固定部材により固定した場合における、髪挟み部よりつまみ部の分岐部の外角度、内角度の髪挟み部に及ぼす押圧効果が保持されるものであり脱着自在の固定部材は、髪挟持部材の一端より一端迄移動し、開閉自在の場合には分岐部にて停止状態であり、固定部材の使用時において形状が変化する髪止め具です。
【００２２】従来の髪止め具と異なる点について、この発明による髪止め具は、一連の部材により一連に形成される髪挟持部材であり、左記部材を軸芯とし合成樹脂、シリコーンゴム等の被布加工成形を容易とし、髪挟み部、つまみ部、固定部材においては大小、扁平状、立体状、棒状の形を有し、それらを特徴とする髪止め具です。
【発明を実施するための最良の形態】
【００２３】この発明の実施の形態は図１〜図１３によって説明します。
【実施例】
【００２４】図１は斜視図であり、弾性材料を輪に連結し輪状にて一文字にした状態で、一連の髪挟持部材として使用するもので、前記、一連部材の中央部分で折り返した状態で、一連部材の両先端部である一連の輪の部分を水平に上下１、２を重ね合わせ、上下二重となった先端部より折り返し部３、４方向へ、髪挟み短部材１、髪挟み長部材２として長短一対の髪挟み部であり、さらに折り返し部にて折り返し時二連の輪状であった３、４をそれぞれに、髪挟み部材１、２の中心線に対して左右方向へ拡げ左右対称ととなる翼状の一対の摘み部３、４を形成、又摘み部３、４全体を髪挟み部材２方向に反り返り湾曲させた形の髪止め具です【００２５】図１の長短一対の髪挟み部材は合成樹脂、シリコーンゴム等により被布加工さいる状態であり、よって髪挟み部材１、２のそれぞれの中心線において弾性材は左右結合されるものであります。【００２６】図２は図１で示す摘み部３、４に左右方向より力を加えた場合に髪挟み部１、２が開いた状態を示すもので、髪挟み部１より摘み部３、４への分岐部１ｂと図１で示す１ａの外角度と、髪挟み部２より摘み部３、４への分岐部２ａ、２ｂの内角度が髪挟み部材１、２の重なり合う部分５ａ、５ｂを支点とし角度一定保持状態のままで湾曲した摘み部３、４がそれぞれに同方向へ回転移動することにより、髪挟み部材１、２がそれぞれ相反する方向に移動することを示す図であり、開閉自在とした髪止め具の斜視図です【００２７】図３は上記髪止め具の則面図であり髪挟み部１、の延長線上にある摘み部３、４と髪挟み部２の延長線上にある摘み部３、４は支点５ａ、５ｂ部分で交差していることを示す図であり、一連の部材による一連の形成を示すものであり、又常時閉じた状態の髪挟み部、常時閉じた状態のつまみ部を示す図です。【００２８】図４は上記髪止め具の下平面図であり髪止め具の中心線に対し外角１ａ、１ｂ、内角２ａ、２ｂは左右対称であることを示す図であり、使用時の開閉にあたり、外角度、内角度が一定に保持されるものであります。【００２９】図５は上記髪止め具の摘み部３、４をつまんだ場合に髪挟み部１、２が開いた状態のの断面図であり髪挟み部１、２において弾性部材６は、それぞれに結合されており、長短部材のそれぞれの分岐部より左右に二連となり、つまみ部３、４が形成されるものであり、つまみ部３、４においては弾性部材６はそれぞれ一連であり、髪止め具の全部分において合成樹脂、シリコーンゴム等７によって被布加工成形された状態を示す斜視図です【００３０】図６は上記髪止め具が被布加工成形７等により、髪挟み部１、２摘み部３、４が大小、扁平状、棒状を特徴とする髪止め具の斜視図です
図７は図７の髪止め具の摘み部３、４をつまんだ場合髪挟み部１、２開いた状態のとする髪止め具の斜視図です
図８は図６図７の下平面図で髪挟み部については１は扁平状、２部材は棒状、摘み部３、４は大小の扁平状としたことを示し外角１ａ、１ｂ、内角２ａ、２ｂ左右対称で一定であるとした図です【００３１】図９は固定部材８の斜視図で弾性材料、合成樹脂、シリコーンゴム等の輪状のものであり、無伸縮部材に関しては髪挟み部１、２のそれぞれの外輪と同等の内輪を有し、伸縮部材に関しては、つまみ部３、４を固定し脱着可能とするものです。
図１０は図９の平面図です【００３２】図１１は図９、１０の固定部材８を髪挟み部材の１、２の一方先端より装着し移動、つまみ部３、４、と長部材の分岐部に装着し停止状態を示した図であり、固定部材を装着した状態おいても、開閉自在とする髪挟持部材の効果は同様であることを示す図とします。【００３３】図１２は、つまみ部３、４を髪挟み部短部材方向につまみ合わせ固定部材８を移動した状態であり、図１３の斜視図にてつまみ部が固定されたことを示し、髪挟み部材の１、２それぞれの分岐部の外角１ａ、１ｂ内角２ａ、２ｂの方向が、髪挟み部材に対し左右方向より中心線方向に移動したことで、髪挟み部材１、２に及ぼす押圧効果を保持するとした図です。【００３４】図１４、図１５、図１６、図１７は参照文献による参考資料とし付勢部材１８、枢支部１６ａ、１６ｂ髪挟持部材１２ａ、１２ｂつまみ部１４ａ、１４ｂ溝部３０、すべり止め部材２８を示す図です。
【産業上の利用可能性】
【図面の簡単な説明】
【００３５】（図１）実施例を示す斜視図
（図２）図１の３、４を摘んだ場合に１、２が開く状態を示す斜視図
（図３）図１の摘み部の湾曲方向を示す側面図
（図４）図１の下平面図
（図５）図１の断面図であり被布材、棒状弾性材を示す図
（図６）被布加工成形よる棒状、扁平状、立体状を示す斜視図
（図７）図６の３、４を摘んだ場合に１、２が開く状態を示す斜視図
（図８）図６の下平面図
（図９）固定部材の斜視図
（図１０）固定部材の平面図
（図１１）図１の髪止め具に図１０の固定部材８を装着した斜視図
（図１２）固定部材８を移動し摘み部を固定した側面図
（図１３）図１２の斜視図
（図１４）参照文献による
（図１５）参照文献による
（図１６）参照文献による
（図１７）参照文献による
【符号の説明】
【００３６】１、２      髪挟み部材
３  ４      摘み部材、長部材と対で髪挟み部
１ａ、１ｂ  外角度
２ａ、２ｂ  内角度
５ａ、５ｂ  支点
６          棒線状弾性材
７          合成樹脂等被布材
８          固定部材
【図１】
2006130273.tif 000003
【図２】
2006130273.tif 000004
【図３】
2006130273.tif 000005
【図４】
2006130273.tif 000006
【図５】
2006130273.tif 000007
【図６】
2006130273.tif 000008
【図７】
2006130273.tif 000009
【図８】
2006130273.tif 000010
【図９】
2006130273.tif 000011
【図１０】
2006130273.tif 000012
【図１１】
2006130273.tif 000013
【図１２】
2006130273.tif 000014
【図１３】
2006130273.tif 000015
【図１４】
2006130273.tif 000016
【図１５】
2006130273.tif 000017
【図１６】
2006130273.tif 000018
【図１７】
2006130273.tif 000019